(57)【特許請求の範囲】
【請求項１】
主信号を多重化したペイロードと呼ばれる主信号部に伝送装置や伝送路の監視保守運用を行うためのオーバヘッドと呼ばれる切替制御情報を付加した同期多重化信号を伝送する複数の光ファイバ伝送路で、複数の伝送装置を接続した通信ネットワークで用いられるネットワーク用伝送装置であって、
上記光ファイバ伝送路へ上記同期多重化信号を送信する光トランスミッタと、
上記光ファイバ伝送路から上記同期多重化信号を受信する光レシーバと、
上記光トランスミッタへの上記主信号部に上記オーバヘッドを付加し、上記光レシーバからの上記同期多重化信号から該オーバヘッドを抽出するオーバヘッド処理部と、
上記オーバヘッド処理部から入力された上記主信号部を分離多重し、上記光ファイバ伝送路のいずれかの伝送路に送信するために該主信号部の出力経路を切り替え、再び該オーバヘッド処理部へ出力するクロスコネクト部と、
タイミング信号源からタイミング抽出を行い、上記伝送装置内にクロックを供給するクロック部と、
上記伝送装置内を監視し、監視結果に基づき指示信号を出力する装置監視部と、
上記指示信号と上記切替制御情報とを基に、上記クロスコネクト部と上記オーバヘッド処理部と光トランスミッタとに上記光ファイバ伝送路のいずれかの伝送路へ伝送すべきかの切替を制御する切替制御部を有し、
少なくとも上記クロスコネクト部と上記クロック部のいずれかの両系障害を上記装置監視部が検出した場合、
上記装置監視部が上記指示信号に両系障害情報を挿入し、
上記指示信号を入力された上記切替制御部は上記オーバヘッド処理部と光トランスミッタとに対し、上記光ファイバ伝送路に孤立指示情報を出力させることを特徴とするネットワーク用伝送装置。
【請求項２】
隣接する他のネットワーク用伝送装置との双方向間を２本の光ファイバで接続し、各回線内の容量を二分し、一方を現用回線、他方を予備回線として用いる方法、または、上記隣接するネットワーク用伝送装置との双方向間を４本の光ファイバで接続し、各回線を現用回線と予備回線として用いる方法のいずれかの方法で接続し、前記障害が発生した場合、
前記孤立指示情報が、受信される前記同期多重化信号が共に信号障害状態であることを伝える前記切替制御情報であることを特徴とする請求項１に記載のネットワーク用伝送装置。
【請求項３】
隣接する他のネットワーク用伝送装置との双方向間を２本の光ファイバで接続し、各回線内の容量を二分し、一方を現用回線、他方を予備回線として用いる方法、または、上記隣接するネットワーク用伝送装置との双方向間を４本の光ファイバで接続し、各回線を現用回線と予備回線として用いる方法のいずれかの方法で接続し、前記障害が発生した場合、
前記孤立指示情報が、受信した同期多重化信号を折り返して送信するリングスイッチを指示する前記切替制御情報であることを特徴とする請求項１に記載のネットワーク用伝送装置。
【請求項４】
隣接する他のネットワーク用伝送装置との双方向間を２本の光ファイバで接続し、各回線内の容量を二分し、一方を現用回線、他方を予備回線として用いる方法、または、上記隣接するネットワーク用伝送装置との双方向間を４本の光ファイバで接続し、各回線を現用回線と予備回線として用いる方法のいずれかの方法で接続し、前記障害が発生した場合、
前記孤立指示情報が、送信される前記同期多重化信号が信号異常状態であることを伝える前記切替制御情報であることを特徴とする請求項１に記載のネットワーク用伝送装置。
【請求項５】
隣接する他のネットワーク用伝送装置との双方向間を２本の光ファイバで接続し、各回線内の容量を二分し、一方を現用回線、他方を予備回線として用いる方法、または、上記隣接するネットワーク用伝送装置との双方向間を４本の光ファイバで接続し、各回線を現用回線と予備回線として用いる方法のいずれかの方法で接続し、前記障害が発生した場合、
前記孤立指示情報が、前記光トランスミッタの送信を停止することによって生じる無信号状態であることを特徴とする請求項１に記載のネットワーク用伝送装置。
【請求項６】
前記障害が発生した場合、前記孤立指示情報が、
受信される前記同期多重化信号が共に信号障害状態であることを伝える前記切替制御情報であるか、
受信した同期多重化信号を折り返して送信するリングスイッチを指示する切替制御情報であるか、
送信される前記同期多重化信号が信号異常状態であることを伝える切替制御情報であるか、
または、前記光トランスミッタの送信を停止することによって生じる無信号状態であるかの４状態を任意に選択可能とすることを特徴とする請求項１に記載のネットワーク用伝送装置。
【請求項７】
前記障害が、クロスコネクト部あるいはクロック部であることを特徴とする請求項１に記載のネットワーク用伝送装置。
【請求項８】
前記障害が、クロスコネクト部あるいはクロック部であることを特徴とする請求項２に記載のネットワーク用伝送装置。
【請求項９】
前記障害が、クロスコネクト部あるいはクロック部であることを特徴とする請求項３に記載のネットワーク用伝送装置。
【請求項１０】
前記障害が、クロスコネクト部あるいはクロック部であることを特徴とする請求項４に記載のネットワーク用伝送装置。
【請求項１１】
前記障害が、クロスコネクト部あるいはクロック部であることを特徴とする請求項５に記載のネットワーク用伝送装置。
【請求項１２】
前記障害が、クロスコネクト部あるいはクロック部であることを特徴とする請求項６に記載のネットワーク用伝送装置。
【請求項１３】
複数の請求項１記載のネットワーク用伝送装置が、複数の光ファイバ伝送路を介して接続され、上記ネットワーク用伝送装置は、パスの挿入及び抽出ならびに通過を行い、方路の切替を行うことを特徴とするネットワーク伝送システム。
【請求項１４】
複数の請求項７記載のネットワーク用伝送装置が、複数の光ファイバ伝送路を介して接続され、上記ネットワーク用伝送装置は、パスの挿入及び抽出ならびに通過を行い、方路の切替を行うことを特徴とするネットワーク伝送システム。
【請求項１５】
複数の請求項８記載のネットワーク用伝送装置が、複数の光ファイバ伝送路を介して接続され、上記ネットワーク用伝送装置は、パスの挿入及び抽出ならびに通過を行い、方路の切替を行うことを特徴とするネットワーク伝送システム。
【請求項１６】
複数の請求項９記載のネットワーク用伝送装置が、複数の光ファイバ伝送路を介して接続され、上記ネットワーク用伝送装置は、パスの挿入及び抽出ならびに通過を行い、方路の切替を行うことを特徴とするネットワーク伝送システム。
【請求項１７】
複数の請求項１０記載のネットワーク用伝送装置が、複数の光ファイバ伝送路を介して接続され、上記ネットワーク用伝送装置は、パスの挿入及び抽出ならびに通過を行い、方路の切替を行うことを特徴とするネットワーク伝送システム。
【請求項１８】
複数の請求項１１記載のネットワーク用伝送装置が、複数の光ファイバ伝送路を介して接続され、上記ネットワーク用伝送装置は、パスの挿入及び抽出ならびに通過を行い、方路の切替を行うことを特徴とするネットワーク伝送システム。
【請求項１９】
複数の請求項１２記載のネットワーク用伝送装置が、複数の光ファイバ伝送路を介して接続され、上記ネットワーク用伝送装置は、パスの挿入及び抽出ならびに通過を行い、方路の切替を行うことを特徴とするネットワーク伝送システム。
【発明の詳細な説明】
【０００１】
【発明の属する技術分野】
本発明は、ＳＯＮＥＴ（Ｓｙｎｃｈｒｏｎｏｕｓ  Ｏｐｔｉｃａｌ  Ｎｅｔｗｏｒｋ）のＢＬＳＲ（Ｂｉｄｉｒｅｃｔｉｏｎａｌ  Ｌｉｎｅ  Ｓｗｉｔｃｈｅｄ Ｒｉｎｇ)やＳＤＨ（Ｓｙｎｃｈｒｏｎｏｕｓ  Ｄｉｇｉｔａｌ  Ｈｉｅｒａｒｃｈｙ）等の光伝送ネットワークに関する。
【０００２】
【従来の技術】
現在、ＳＯＮＥＴのＢＬＳＲネットワークとしては、”ＧＲ−１２３０−ＣＯＲＥ  ＳＯＮＥＴ  Ｂｉｄｉｒｅｃｔｉｏｎａｌ  Ｌｉｎｅ−ＳｗｉｔｃｈｅｄＲｉｎｇ  Ｅｑｕｉｐｍｅｎｔ  Ｇｅｎｅｒｉｃ  Ｃｒｉｔｅｒｉａ”，Ｂｅｌｌｃｏｒｅ，Ｉｓｓｕｅ３，１９９６に記載されているように、２−Ｆｉｂｅｒ  ＢＬＳＲおよび４−Ｆｉｂｅｒ  ＢＬＳＲがある。２−Ｆｉｂｅｒ  ＢＬＳＲとは、各ネットワーク用装置（ノード装置とも言う）間を２本の光ファイバで接続し、各回線内の容量を二分し、一方を現用、他方を予備として用いる方式である。一方、４−Ｆｉｂｅｒ  ＢＬＳＲとは、現用回線と予備回線を設け、各ノード装置間を４本の光ファイバで接続する方式である。このＲｉｎｇネットワーク内では、例えばＳＴＳ−１（Ｓｙｎｃｈｒｏｎｏｕｓ  Ｔｒａｎｓｐｏｒｔ  Ｓｉｇｎａｌ−Ｌｅｖｅｌ１）と呼ばれるフレーム単位でトラヒックの転送が行われ、これらのフレームがあらかじめ定められたタイムスロットの位置に時分割多重されて伝送される。
【０００３】
なお、フレームとは、ディジタル化された主信号を多重化したペイロードと呼ばれる主信号部に伝送装置や通信網の監視保守運用を行うためのオーバヘッドと呼ばれる信号を付加し、伝送や多重分離処理される同期多重化信号のことである。
【０００４】
２−Ｆｉｂｅｒ  ＢＬＳＲおよび４−Ｆｉｂｅｒ  ＢＬＳＲでは、共に通常は現用回線を用いてトラヒックを伝送し、障害発生時などに予備回線を用いてトラヒックを救済する方式である。以下では、ＯＣ（Ｏｐｔｉｃａｌ  Ｃａｒｒｉｅｒ）−４８の４−Ｆｉｂｅｒ  ＢＬＳＲを例にして説明する。また、以下ではトラヒックをパスと記述する。
【０００５】
複数のノード装置をリング状に接続した４−Ｆｉｂｅｒ  ＢＬＳＲの場合、光ファイバ伝送路群は、隣接する一方、及び、他方のノード装置へ接続するための片方向２本ずつ、双方向４本の光ファイバからなり、ＣＷ（Ｃｌｏｃｋ  Ｗｉｓｅ）方向現用回線とＣＷ方向予備回線と、ＣＣＷ（Ｃｏｕｎｔｅｒ  ＣｌｏｃｋＷｉｓｅ）方向現用回線とＣＣＷ方向予備回線から構成される。各々のノード装置が低次群装置を収容し、低次群装置と光ファイバ伝送路群との間で各回線のパス（ＳＴＳ−１）を挿入（Ａｄｄ）または抽出（Ｄｒｏｐ）を行う。このノード装置はＡＤＭ（Ａｄｄ  Ｄｒｏｐ  Ｍｕｌｔｉｐｌｅｘｅｒ）と呼ばれる。
【０００６】
例えば、あるノード装置間のＣＷ現用回線のみに障害が発生した場合、障害区間を通過するパスがＣＷ予備回線を用いて伝送される。このＣＷ現用回線からＣＷ予備回線への切替は、「スパンスイッチ」と呼ばれる。
【０００７】
別の例として、あるノード装置間のＣＷ現用回線およびＣＷ予備回線の両方に障害が発生した場合、障害区間を通過するパスを反対回り方向のＣＣＷ予備回線にループバックさせる。つまり、障害となった光ファイバ伝送路の両端のノード装置の一方のノード装置が反対回り方向のＣＣＷ予備回線にループバックさせ、他方のノード装置がＣＣＷ予備回線がらパスを抽出し、対象となるその両端のノード装置以外のノード装置はＣＣＷ予備回線でパスを通過させる状態（以下Ｆｕｌｌ  Ｐａｓｓ  Ｔｈｒｏｕｇｈ状態とも言う）となる。この切替を「リングスイッチ」という。
【０００８】
このように、スパンスイッチまたはリングスイッチを実行するのは、障害端（障害となった光ファイバ伝送路の両端の）ノード装置である。
【０００９】
さらに、別の例として、あるノード装置に入力される４本のファイバに障害がある場合、そのあるノード装置が孤立状態であるＮｏｄｅ  Ｉｓｏｌａｔｉｏｎ状態になり、そのあるノード装置に隣接するノード装置が、リングスイッチを実行する。この場合、一方の隣接ノード装置はＣＷ現用回線のパスをループさせ、ＣＣＷ予備回線を用いて反対方向に伝送するように切り替える。また、他方の隣接ノード装置は、ＣＣＷ予備回線によりパスを抽出する。
【００１０】
ＧＲ−１２３０−ＣＯＲＥによれば、これらの切替制御は監視保守運用を行うためのオーバヘッドと呼ばれる切替制御情報であるＫ−ｂｙｔｅにより実行される。なお、４−Ｆｉｂｅｒ  ＢＬＳＲでは、主に予備回線から抽出されるｋ−ｂｙｔｅで切り替え制御される。
【００１１】
【発明が解決しようとする課題】
然るに、ＧＲ−１２３０−ＣＯＲＥによれば切替制御は伝送路の障害である、主信号断状態（Ｌｏｓｓ  ｏｆ  Ｓｉｇｎａｌ；ＬＯＳとも言う）、フレーム同期外れ状態（Ｌｏｓｓ  ｏｆ  Ｆｒａｍｅ；ＬＯＦとも言う）、伝送路異常状態（Ｌｉｎｅ  Ａｌａｒｍ  Ｉｎｄｉｃａｔｉｏｎ  Ｓｉｇｎａｌ；Ｌｉｎｅ  ＡＩＳとも言う）などにより起動されるものであり、装置内故障については記述されていない。なお、主信号断状態、フレーム同期外れ状態、伝送路異常状態を、総括して信号障害状態（Ｓｉｇｎａｌ  Ｆａｉｌｕｒｅ；以下ＳＦと言う）と言う。
【００１２】
例えば、ノード装置の構成の内部が故障した場合、あるいは二重系により保護されている場合でも、現用系と予備系の両系が故障した場合においては、上記伝送路の障害に当たらないため、分岐および挿入するパスのみならず通過するパスについても非導通になってしまう。
【００１３】
以上、述べたようにＧＲ−１２３０によれば切替制御は、伝送路の障害により、起動されるものであり、ノード装置内故障によって起動しない。しかしながらノード装置内の故障などにより通過するパスが非導通になる場合がある。
【００１４】
本発明の目的は、上記問題点を解決するためのもので、ネットワーク構成時、ノード装置内故障時に通過するパスを救済するため自発的に対象となるノード装置を孤立状態にさせるＮｏｄｅ  Ｉｓｏｌａｔｉｏｎを起動するものであり、また、その手段を提供するものである。
【００１５】
【課題を解決するための手段】
本発明は、上記課題を解決するために、対象となるノード装置を通過するパスが救済不可能となる装置障害が発生した場合、そのノード装置を孤立状態へ遷移するようにしたものであることを特徴とする。
【００１６】
また、本発明は、装置障害が発生した場合、ノード装置に入力される光ファイバ伝送路すべてが信号障害状態と同等の障害とするか、あるいはノード装置の両側に強制的にリングスイッチを起動し、障害ノード装置を、孤立状態へ遷移する。あるいは、障害ノード装置から出力される光ファイバ伝送路すべてに伝送路が異常状態であることを示す制御情報を挿入するか、あるいは光出力断とし、障害ノード装置を孤立状態へ遷移することを特徴とする。
【００１７】
その結果、ＢＬＳＲネットワークの自動切替機能によって障害が発生しているノードを通過するパスを救済することができる。
【００１８】
【発明の実施の形態】
以下、図１から図１３を用いて説明する。
図１は、ＢＬＳＲネットワーク１０の構成例と、回線使用例を示している。ＢＬＳＲネットワーク１０は、光ファイバ伝送路群１１と複数のノード装置１２とからなる。本図では６つのノード装置（ノード装置Ａ，ノード装置Ｂ，ノード装置Ｃ，ノード装置Ｄ，ノード装置Ｅ，ノード装置Ｆ）からなるＢＬＳＲネットワーク１０を示し、あるパスが、ＣＷ方向現用回線１３を用いて、Ａで挿入され、Ｂを通過し、Ｃで抽出されていることを示している。
【００１９】
図２に、本発明によるノード１２の構成を示す。ＢＬＳＲネットワーク上のノードはすべて同じ構成となるので代表として１つのノードの構成を示す。
図２において、ノード１２は、ＡＤＭ（Ａｄｄ  Ｄｒｏｐ  Ｍｕｌｔｉｐｌｅｘｅｒ）と呼ばれ、ＣＷ方向現用回線１３、ＣＷ方向予備回線１４、ＣＣＷ方向現用回線１５およびＣＣＷ方向予備回線１６と、Ａｄｄ回線４７（低次群装置３０からのパスを挿入するための回線）およびＤｒｏｐ回線４８（パスを抽出して低次群装置３０に出力するための回線）とを収容する。
【００２０】
隣接する他のノード装置から入力された光信号は光レシーバ（Ｒ）４１で受信され、二重化されているオーバヘッド処理部４３へそれぞれ入力され、オーバヘッドの処理が施される。オーバヘッドを取り除かれたパスは高速側と低速側の各パスのＴＳＩ（Ｔｉｍｅ  Ｓｌｏｔ  Ｉｎｔｅｒｃｈａｎｇｅ）およびＴＳＡ（Ｔｉｍｅ  Ｓｌｏｔ  Ａｓｓｉｇｎｍｅｎｔ）を行うクロスコネクト部４０に入力され、ＳＴＳ−１単位にそれぞれの方向に振り分けられる。この場合、二重化されているクロスコネクト部４０に入力されるパスは同じ物である。振り分けられたパスはそれぞれ多重化され、オーバヘッド処理部４３にてオーバヘッドの処理が施され、光トランスミッタ（Ｔ）４２で光信号に変換されて、ＣＷ方向現用回線１３とＣＷ方向予備回線１４とＣＣＷ方向現用回線１５とＣＣＷ方向予備回線１６とＤｒｏｐ回線４８のいずれかから出力される。なお、二重化されたクロスコネクト部４０とオーバヘッド処理部４３との間には、装置内の障害を監視する装置監視部４６の指示によって、パスを選択するセレクタ５０があるが、図中では装置監視部４６とセレクタ５０の関係を省略している。
【００２１】
また、図２に示す切替制御部４４は伝送路の状態（光ファイバー断など）やシステム全体の管理装置であるＯｐＳ（Ｏｐｅｒａｔｉｏｎ  Ｓｙｓｔｅｍ）からの指示により、リングスイッチやスパンスイッチを実行するかどうかを決定し、切替命令をクロスコネクト部４０に指示する。クロスコネクト部４０は、切替制御部４４からの切替命令を受けて状態（リングスイッチ、スパンスイッチ、Ｆｕｌｌ  Ｐａｓｓ  Ｔｈｒｏｕｇｈなど）によってパスの切替を行う。また、切替制御部４４は、入力するＫ−ｂｙｔｅをオーバヘッド処理部４３より収集し、あるいは出力するＫ−ｂｙｔｅをオーバヘッド処理部４３で制御する。また、切替制御部４４は、光トランスミッタ（Ｔ）４２を制御し、光出力を停止する機能を持つ。装置監視部４６は、装置内の障害を監視し、障害を検出した場合、切替制御部４４に対し、障害情報を指示信号として出力する。クロック部４５は、ノード装置内の各機能部にクロックを供給する装置である。クロスコネクト部４０およびクロック部４５等は、通常、信頼性向上のため二重化されていることが多いため、本実施例では、二重化されている図を示している。
【００２２】
図３は、本発明の実施例を示すものである。クロスコネクト部４０は、現用系と予備系の両系が障害となっており、通過するパスは、非導通となる。例として、図１に示すノードＢにてクロスコネクト部４０にて障害が発生した場合、前述のように非導通となる。本例の障害では、装置内の障害を監視する装置監視部４６がクロスコネクト部４０の両系障害を検出し、通過するパスの導通が行えなくなっていることを示している。両系障害を検出した場合、装置監視部４６は、切替制御部４４に対し、両系障害情報を指示信号で未使用であった情報部分に新たに割り当てた指示信号を出力する。次に、切替制御部４４、オーバヘッド処理部４３及び光トランスミッタ４２は、自装置を孤立状態にさせるため、隣接する他のノード装置への光ファイバ伝送路に孤立指示情報ａ及び孤立指示情報ｂを出力する。この孤立指示情報を受信した隣接するノード装置はリングスイッチを実行し、障害を起こした対象となるノード装置は孤立状態となる。以下に、その具体的内容を示す。
【００２３】
図４は、図１においてクロスコネクト部が現用系と予備系の両系で障害となった場合の図である。図４においては、ノードＢから孤立指示情報ａまたは孤立指示情報ｂとしてのＫ−ｂｙｔｅが発出されていることを示している。孤立指示情報ａおよび孤立指示情報ｂは図５の組み合わせからなるＫ−ｂｙｔｅである。なお、孤立指示情報ａおよび孤立指示情報ｂは同じものでも良い。
【００２４】
図５のパタン１は入力される４本すべてのファイバである現用回線１５、現用回線１３、予備回線１６、予備回線１４に、信号障害（ＳＦ）が発生しているときと同等のＫ−ｂｙｔｅを示している。
【００２５】
図５のパタン２は、ノードＢの両側に強制的にリングスイッチを実行させるＦＳ−Ｒの場合に出力されるＫ−ｂｙｔｅを示している。
【００２６】
図５のパタン３は、ＧＲ−１２３０に定義される伝送路異常時のＬｉｎｅ−ＡＩＳ（Ｋ２ｂｉｔ６−８＝”１”）の信号を出力することを示している。Ｌｉｎｅ−ＡＩＳを出力する場合、Ｋ１およびＫ２の残りビットはどのような組み合わせでもよく、図５では”＊”で示している。パタン１、パタン２およびパタン３のＫ−ｂｙｔｅは、いずれもノードＢのオーバヘッド処理部４３により各伝送路のオーバヘッドに挿入される。
【００２７】
図６は、ノードＢから図５のＫ−ｂｙｔｅを送信した後のＢＬＳＲネットワークを示している。本図では、図５のＫ−ｂｙｔｅを受信したノードＡおよびノードＣにてリングスイッチが実行され、通常時は図１のように設定されたパスはノードＡ→ノードＦ→ノードＥ→ノードＤ→ノードＣの予備伝送路１６を使用して保護される。結果として、従来保護される対象ではなかったノードＢのクロスコネクト部４０の両系障害時にもパスの保護が行われる。
【００２８】
図７は、本発明の別の装置孤立状態であるＮｏｄｅ  Ｉｓｏｌａｔｉｏｎの例である。本発明では、クロスコネクト部４０の両系故障が検出された場合、切替制御部４４が光トランスミッタ（Ｔ）４２の出力を断とする。つまり、この場合の孤立指示情報ａまたは孤立指示情報ｂとは、光ファイバ伝送路が無信号状態であることを言う。
【００２９】
図８は、図７のように出力断とした場合のＢＬＳＲネットワークの過渡状態を示している。本図では、ノードＢから出力される４本の伝送路を出力断としている。そして、ノードＡおよびノードＣは伝送路の障害を検知し、切替を実行する。結果としてＢＬＳＲネットワークでは、図６と同じようにノードＡおよびノードＣにてリングスイッチが実行され、例えば、通常時図１のように設定されたパスは、予備伝送路１６を使用して保護される。
【００３０】
また、図９は、本発明の別の実施例として、クロック部４５の両系障害時の動作を示すものである。クロック部４５が両系障害となった場合には、各ノード内の各機能部へ正常なクロック信号が断となるため、パスが非導通となる。本発明では、クロスコネクト部４０が現用系と予備系の両系が障害となった場合と同様に装置監視部４６は切替制御部４４に対して装置を孤立状態にさせるＮｏｄｅ  Ｉｓｏｌａｔｉｏｎを実行するように指示する。なお、クロック部４５が両系障害の時の処理動作に必要なタイミングは、自走クロックである。
【００３１】
この場合、切替制御部４４は切替処理を実行し、図４と同じように図５におけるＫ−ｂｙｔｅをオーバヘッド処理部４３から出力する。その結果、本装置と隣接する装置は、リングスイッチを実行し、本装置を孤立状態とすることになる。
【００３２】
図１０は、クロック部４５が両系故障時にも、クロスコネクト部４０の両系故障時の出力伝送路断と同様に４本の出力伝送路を断とした場合の図である。図１０のように４本の出力伝送路を断とすることにより、装置を孤立させることができる。図９および図１０におけるＢＬＳＲネットワークの切替は、図６と同様になり、ノードＢを通過するパスを救済することができる。
【００３３】
図１１は、本発明による孤立指示に関するフローチャートを示している。まず、ステップ５１にてクロスコネクト部あるいはクロック部の障害が発生したかどうかを装置監視部４６にて判定する。障害が発生していれば、ステップ５２にて、発生した障害が両系障害かどうかを判定する。両系障害である場合には、ステップ５３にて装置監視部４６から切替制御部４４に対し、Ｎｏｄｅ  Ｉｓｏｌａｔｉｏｎの実行指示を行う。
【００３４】
具体的には、装置監視部４６が検出した装置内両系障害を伝える情報を、切替制御部４４への指示信号へ挿入し、その指示信号を切替制御部４４に送信する。なお、装置内両系障害を伝える情報を指示信号へ挿入するとき、そのままのビット情報でも良いし、適当な変換を加えても良い。指示を受けた切替制御部４４とオーバヘッド処理部４３は以下の４つのいずれかの動作を行う。
【００３５】
１）入力される４本の伝送路すべてにＳＦ障害が検出された場合と同様の状態であることをオーバヘッド処理部４３へ伝え、オーバヘッド処理部４３はＳＦ障害が検出された場合と同様のＫ−ｂｙｔｅを挿入する。これは、例えば、図４のようなＢＬＳＲネットワークにおいては、図５のパタン１のＫ−ｂｙｔｅと同一となる。
２）障害のあるノード装置の両側にＦＳ−Ｒ（強制リングスイッチ）を実行する指示をオーバヘッド処理部４３へ伝え、オーバヘッド処理部４３はＦＳ−Ｒコマンドを示すＫ−ｂｙｔｅを挿入する。これは、例えば、図４のようなＢＬＳＲネットワークにおいては、図５のパタン２のＫ−ｂｙｔｅと同一となる。
３）出力される４本の伝送路すべてがＬｉｎｅ−ＡＩＳ（伝送路異常）状態である場合と同様であることをオーバヘッド処理部４３へ伝え、オーバヘッド処理部４３は伝送路異常状態である場合と同様のＫ−ｂｙｔｅを挿入する。これは図５のパタン３のＫ−ｂｙｔｅと同一となる。
４）出力される４本の伝送路すべてを出力断となるように、光トランスミッタの送信を停止させる。
【００３６】
以上１）から４）のうちのいずれかの動作を行うことにより、ＢＬＳＲネットワークの自動切替機能によってクロスコネクト部あるいはクロック部の両系障害が発生しているノード装置を通過するパスを救済することができる。例えば、図１のようなＢＬＳＲネットワークにおいては、図６のようにパスを救済することができる。
【００３７】
上記１）から４）は基本的にどれを選択しても結果は同じである。また、初めから４つの状態を有し、使用目的によって、ハード的またはソフト的なスイッチで任意に切り替えもできる。なお、Ｋ−ｂｙｔｅの処理時間は必要となっても、比較的ソフト的な処理を希望すれば、１）から３）を選べばよい。また、比較的ハード的な処理の４）を選択すれば、光トランスミッタの光出力を遮断する指示を出すのみで良い。この場合、光出力を遮断する方法としては、第１に光トランスミッタへの電源供給を遮断すれば、消費電流を下げる効果が期待できる。また、第２として、光トランスミッタに入力された送信信号を発光素子駆動回路でマスクして光出力を遮断すれば、電源供給を遮断する方法より復旧が比較的容易である。
【００３８】
なお、実施例では、４−Ｆｉｂｅｒ  ＢＬＳＲを例にしたが、２−ＦｉｂｅｒＢＬＳＲにも本発明は適用できる。
【００３９】
図１２は本発明による、２−Ｆｉｂｅｒ  ＢＬＳＲのノード装置の構成例である。図１３は本発明による、２−Ｆｉｂｅｒ  ＢＬＳＲネットワークである。
【００４０】
図中の構成、及び、動作は、前述の通りである。異なる点は、各回線内の容量を二分し、一方を現用、他方を予備として用いるため、クロスコネクト部で容量が半分になることである。
【００４１】
２−Ｆｉｂｅｒでは、全帯域の半分を現用に割り当て、残りの半分を予備に割り当てているので、以下の４つのいずれかの動作を行う。
【００４２】
１）入力される２本の伝送路すべてにＳＦ障害が検出された場合と同様の状態であることをオーバヘッド処理部４３へ伝え、オーバヘッド処理部４３はＳＦ障害が検出された場合と同様のＫ−ｂｙｔｅを挿入する。
２）障害のあるノード装置の両側にＦＳ−Ｒ（強制リングスイッチ）を実行する指示をオーバヘッド処理部４３へ伝え、オーバヘッド処理部４３はＦＳ−Ｒコマンドを示すＫ−ｂｙｔｅを挿入する。
３）出力される２本の伝送路すべてがＬｉｎｅ−ＡＩＳ（伝送路異常）状態である場合と同様であることをオーバヘッド処理部４３へ伝え、オーバヘッド処理部４３は伝送路異常状態である場合と同様ののＫ−ｂｙｔｅを挿入する。
４）出力される２本の伝送路を出力断となるように、光トランスミッタの送信を停止させる。
【００４３】
以上１）から４）のうちのいずれかの動作を行うことにより、ＢＬＳＲネットワークの自動切替機能によってクロスコネクト部あるいはクロック部の両系障害が発生しているノードを通過するパスを救済することができ、２−Ｆｉｂｅｒ  ＢＬＳＲにも適用できる。
【００４４】
以上、主にＳＯＮＥＴに関して述べてきたが、ＳＤＨについても同様のことが言える。
【００４５】
【発明の効果】
本発明によれば、ＢＬＳＲネットワークにおいてクロスコネクト部あるいはクロック部の障害により通過するパスが救済できないような場合でも簡単な手順と方法によりＮｏｄｅ  Ｉｓｏｌａｔｉｏｎを起動させることができ、その結果、通過するパスを救済できる。
【図面の簡単な説明】
【図１】ＢＬＳＲネットワークの基本構成を示す。
【図２】ノード装置の基本構成を示す。
【図３】本発明によるクロスコネクト部が両系障害時のノード装置を示す。
【図４】本発明によるノード装置Ｂのクロスコネクト部が両系障害時のＢＬＳＲネットワークを示す。
【図５】ｋ−ｂｙｔｅとパタンの関係を示す。
【図６】本発明によりパスが救済された通過経路を示す。
【図７】本発明によるクロスコネクト部が両系障害となるときの出力断の処理を行うノード構成を示す。
【図８】本発明によるクロスコネクト部が両系障害となるときの出力断を示すＢＬＳＲネットワークを示す。
【図９】本発明によるクロック部が両系障害となるときのオーバヘッド処理を行うノード構成を示す。
【図１０】本発明によるクロック部が両系障害となるときの出力断の処理を行うノード構成を示す。
【図１１】本発明による処理を示すフローチャートを示す。
【図１２】本発明による片側２ファイバの場合のノード装置の基本構成を示す。
【図１３】本発明によるクロスコネクト部が両系障害となるときの２−Ｆｉｂｅｒ  ＢＬＳＲネットワークを示す。
【符号の説明】
１０…ＢＬＳＲネットワーク、
１１…光ファイバ伝送路群、
１２…ノード装置（ネットワーク用伝送装置）、
１３…ＣＷ方向現用回線、
１４…ＣＷ方向予備回線、
１５…ＣＣＷ方向現用回線、
１６…ＣＣＷ方向予備回線、
３０…低次群装置、
４１…光レシーバ、
４２…光トランスミッタ、
４３…高速側オーバヘッド処理部、
４４…切替制御部、
４５…クロック部、
４６…装置監視部、
４７…Ａｄｄ回線、
４８…Ｄｒｏｐ回線、
４９…低速側オーバヘッド処理部、
５０…セレクタ。
【図１】
0004215369.tif 000002
【図２】
0004215369.tif 000003
【図３】
0004215369.tif 000004
【図４】
0004215369.tif 000005
【図５】
0004215369.tif 000006
【図６】
0004215369.tif 000007
【図７】
0004215369.tif 000008
【図８】
0004215369.tif 000009
【図９】
0004215369.tif 000010
【図１０】
0004215369.tif 000011
【図１１】
0004215369.tif 000012
【図１２】
0004215369.tif 000013
【図１３】
0004215369.tif 000014